(57)【要約】【課題】抗菌性能および消臭性能が向上し、さらに低コストで製造できるマットを提供する。【解決手段】ループパイル１２ａを、通常に用いられる例えばポリアミド繊維１３等を撚って構成し、シートからの高さがループパイル１２ａよりも高いカットパイル１２ｂを、光触媒繊維１４を撚って構成する。【選択図】      図３
2004230066.tif 000002
【特許請求の範囲】
【請求項１】
基部と、同基部に一部が保持された多数のパイルとを有し、同多数のパイルは、前記基部からの高さが低い低パイルと、前記高さが前記低パイルよりも高い高パイルとよりなるマットにおいて、
前記多数のパイルのうちの高パイルが、光触媒による抗菌性能及び消臭性能の少なくとも一方を有するようにしたことを特徴とするマット。
【請求項２】
前記パイルは、それぞれ多数の繊維から構成されるものであり、前記高パイルを構成する少なくとも一部の繊維には、光触媒が含有された繊維を用い、前記低パイルを構成する繊維には、前記光触媒が含有された繊維を用いないことを特徴とする請求項１に記載のマット。
【請求項３】
前記多数のパイルのうちの高パイルに、光触媒を含有する塗料が付着されてなることを特徴とする請求項１に記載のマット。
【請求項４】
前記高パイルは、前記基部からの高さが前記低パイルの前記基部からの高さの１．２〜３倍の範囲に入るように設けられることを特徴とする請求項１〜請求項３のうちいずれか一項に記載のマット。
【請求項５】
前記高パイルは、前記基部からの高さが前記低パイルの前記基部からの高さの１．５〜２．５倍の範囲に入るように設けられることを特徴とする請求項１〜請求項３のうちいずれか一項に記載のマット。
【発明の詳細な説明】
【０００１】
【発明の属する技術分野】
本発明は、抗菌性能及び消臭性能の少なくとも一方を有するマットに関するものである。
【０００２】
【従来の技術】
従来より、マットには、パイルの基部からの高さに変化をつけることによって、パイル面に所定の模様が表出されるようにしたものがある（例えば、特許文献１参照。）。また、従来より、光触媒を含有する塗料を、パイルに対して例えばディピング等により付着させることによって抗菌性能や消臭性能が付与されたマットもある。
【０００３】
一方、近年では、光触媒を繊維に含有させる技術が提案され、実用化されてきている。（例えば、特許文献２参照。）。
【０００４】
【特許文献１】
実開昭６２―９５６７２号公報（第４−７頁、第１−２図）
【特許文献２】
特開平８―２８４０１１号公報（第２−１３頁）
【０００５】
【発明が解決しようとする課題】
ところが、光触媒を含有させて製造された繊維は高価であり、こうした繊維を多量に用いてマットを製造すると、コスト面で不利となり易い。
【０００６】
本発明は、このような従来の技術に存在する問題点に着目してなされたものである。その目的としては、抗菌性能および消臭性能が向上し、さらに低コストで製造できるマットを提供することにある。
【０００７】
【課題を解決するための手段】
前記目的を達成するために、本願請求項１に記載の発明は、基部と、同基部に一部が保持された多数のパイルとを有し、同多数のパイルは、前記基部からの高さが低い低パイルと、前記高さが前記低パイルよりも高い高パイルとよりなるマットにおいて、前記多数のパイルのうちの高パイルが、光触媒による抗菌性能及び消臭性能の少なくとも一方を有するようにしたことを要旨とするものである。
【０００８】
従って、この請求項１に記載の発明によれば、高パイルに、光触媒による抗菌性能及び消臭性能の少なくとも一方を持たせるため、全てのパイルに対して抗菌性能や消臭性能持たせる場合に比べて、光触媒の使用量を低減することができ、マットの製造コストの低減化を図ることができる。
【０００９】
また、本願請求項２に記載の発明は、前記請求項１に記載の発明において、前記パイルは、それぞれ多数の繊維から構成されるものであり、前記高パイルを構成する少なくとも一部の繊維には、光触媒が含有された繊維を用い、前記低パイルを構成する繊維には、前記光触媒が含有された繊維を用いないことを要旨とするものである。
【００１０】
従って、この請求項２に記載の発明によれば、光触媒が含有された繊維を用いるため、マットを洗濯しても光触媒が繊維から落ちにくい。このため、マットの抗菌性能及び消臭性能の少なくとも一方を長期間にわたって向上することができる。また、全てのパイルを、光触媒が含有された繊維を撚って構成する場合に比べて、その光触媒が含有された繊維の使用量を少なくすることができ、マットの製造コストの増大を抑制することができる。
【００１１】
また、本願請求項３に記載の発明は、前記請求項１に記載の発明において、前記多数のパイルのうちの高パイルに、光触媒を含有する塗料が付着されてなることを要旨とするものである。
【００１２】
従って、この請求項３に記載の発明によれば、光触媒が含有された塗料を全てのパイルに対して全体的に付着させる場合に比べ、その光触媒が含有された塗料の使用量を少なくすることができ、マットの製造コストの増大を抑制することができる。
【００１３】
また、本願請求項４に記載の発明は、前記請求項１〜請求項３のうちいずれか一項に記載の発明において、前記高パイルは、前記基部からの高さが前記低パイルの前記基部からの高さの１．２〜３倍の範囲に入るように設けられることを要旨とするものである。
【００１４】
また、本願請求項５に記載の発明は、前記請求項１〜請求項３のうちいずれか一項に記載の発明において、前記高パイルは、前記基部からの高さが前記低パイルの前記基部からの高さの１．５〜２．５倍の範囲に入るように設けられることを要旨とするものである。
【００１５】
従って、これら請求項４及び請求項５に記載の発明によれば、光触媒の使用量の増大を抑制しつつ、高パイルに照射される光量を確保することができる。このため、マットの製造コストの抑制と抗菌性能及び消臭性能の向上とを両立し易くなる。
【００１６】
【発明の実施の形態】
以下に、本発明の一実施形態について、図１〜図４を参照して説明する。
図１及び図２に示すように、このマットは、基部としてのシート１１と、このシート１１に基端部が保持された多数のパイル１２とを備えている。
【００１７】
シート１１は、ゴム材料からなるゴムシート１１ａと、不織布１１ｂとから構成されており、それらゴムシート１１ａと不織布１１ｂとは、重合された状態で接合されている。このような接合は、例えば、ゴムシート１１ａが未加硫状態であるとき、このゴムシート１１ａに不織布１１ｂを重合し、加硫することにより行われる。なお、シート１１は、ゴムシート１１ａと不織布１１ｂとを有する構成には限定されない。また、シート１１を構成する部材の材質は、任意である。
【００１８】
前記パイル１２は、シート１１からの高さＨが低い低パイルとしてのループパイル１２ａと、このループパイル１２ａよりも高さＨが高い高パイルとしてのカットパイル１２ｂとから構成されている。各パイル１２は、多数の繊維の集合体であり、シート１１に対して所定の間隔をもって多数設けられている。
【００１９】
本実施形態では、ループパイル１２ａ及びカットパイル１２ｂは、それぞれ以下のような繊維から構成されている。
すなわち、図３（ａ）に示すように、ループパイル１２ａは、通常用いられる例えばポリアミド繊維１３等、光触媒が含有されていない繊維のみを撚って構成されている。一方、図３（ｂ）に示すように、カットパイル１２ｂは、光触媒が含有された繊維である光触媒繊維１４のみを撚って構成されている。
【００２０】
また、全てのパイル１２におけるカットパイル１２ｂの占める割合は、２５〜９０％、好ましくは３０〜７０％である。このカットパイル１２ｂの割合が２５％未満であると、光触媒繊維１４の使用量が少なくなって、所望の抗菌性能及び消臭性能が得られなくなるおそれが生じる。逆に、カットパイル１２ｂの割合が９０％を超えると、光触媒繊維１４の使用量が多くなって、マットの製造コストの増大を招く。
【００２１】
また、カットパイル１２ｂは、その高さＨがループパイル１２ａの１．２〜３倍、好ましくは１．５〜２．５倍となるように設けられている。カットパイル１２ｂの高さＨがループパイル１２ａの高さＨの１．２倍未満であると、カットパイル１２ｂに照射される光量が少なくなり、所望の抗菌性能及び消臭性能が得られにくくなるおそれが生じる。逆に、カットパイル１２ｂの高さＨがループパイル１２ａの高さＨの３倍を超えると、光触媒繊維１４の使用量が多くなり、マットの製造コストの増大を招く。また、マットの使用時には、泥等がループパイル１２ａよりもカットパイル１２ｂに付着し易くなることが考えられ、その泥等が光触媒繊維１４を覆うと、抗菌性能及び消臭性能の低下を招くおそれも生じる。
【００２２】
さらに、ループパイル１２ａは、その高さＨが３ｍｍ以上で、カットパイル１２ｂは、その高さＨが２０ｍｍ以下となるように形成されることが望ましい。ループパイル１２ａの高さＨが３ｍｍ未満の場合には、マットの柔らかさ等の風合いが損なわれるとともに、泥や塵等がループパイル１２ａに付着しにくくなって、マットのダストコントロール性が低下するおそれが生じる。一方、カットパイル１２ｂの高さＨが２０ｍｍを超える場合には、不織布１１ｂをゴムシート１１ａに対して一体に成形する際に、カットパイル１２ｂが傾倒し易くなる。また、マットの使用時において、カットパイル１２ｂに一旦付着した塵芥等がそのカットパイル１２ｂから離脱するようになり、マットのダストコントロール性が低下するおそれも生じる。
【００２３】
ここで、光触媒繊維１４として、例えば、株式会社クラレ製「シャインアップＥＸ（商品名）」を用いることができる。この光触媒繊維１４は、図４に示すように、芯線１４ａと被覆層１４ｂとから構成される芯鞘複合繊維であり、芯線１４ａにはポリエステル、一方、被覆層１４ｂにはポリアミドが用いられている。そして、被覆層１４ｂには、例えば酸化チタン粉末等からなる光触媒が練り込まれている。また、被覆層１４ｂには、吸着剤も練り込まれている。
【００２４】
このマットの製造の際には、ループパイル１２ａを形成するパイル糸と、カットパイル１２ｂを形成するパイル糸との２種類のパイル糸を用いる。そして、これらのパイル糸を、例えば、不織布１１ｂに対してループ状にタフティングする。その際、カットパイル１２ｂを形成するパイル糸に対しては、ループ状に形成されたパイルの先端部をカットする。その後、タフティング及びカットを通じて形成されたタフトを、ゴムシート１１ａに重合させた状態で接合することにより、マットを製造する。
【００２５】
従って、本実施形態によれば、以下のような効果を得ることができる。
（１）マットの使用時において、ループパイル１２ａには、ループ状をなすために小石が引掛かったり、泥が付着したりするようになる。これらの小石や泥、あるいはカットパイル１２ｂ等によって陰になり易く、光が照射されにくいループパイル１２ａには光触媒繊維１４を用いず、光が照射され易いカットパイル１２ｂのみに光触媒繊維１４を用いている。このため、全てのパイル１２を光触媒繊維１４から構成する場合に比べて、光触媒繊維１４の使用量を少なくすることができ、マットの製造コストを低減することができる。
【００２６】
（２）光触媒繊維１４は、光触媒が含有された繊維であるため、マットを洗濯しても光触媒が光触媒繊維１４から落ちにくい。このため、マットの抗菌性能及び消臭性能を長期間にわたって高く維持することができる。
【００２７】
（３）光触媒繊維１４の被覆層１４ｂには、光触媒とともに吸着剤も練り込まれているため、マットに対する光照射の有無に拘わらず高い効率で長時間にわたり臭気成分を有効に除去することができる。
【００２８】
（変形例）
なお、本発明の実施形態は、以下のように変形してもよい。
・前記実施形態において、例えば図５に示すような態様で、カットパイル１２ｂを構成する多数の繊維の一部の繊維を、光触媒繊維１４とすること。このようにすれば、光触媒繊維１４の使用量をより少なくすることができ、マットの製造コストの増大を抑制することができる。なお、このようにした場合、各カットパイル１２ｂでの光触媒繊維１４の割合は、図５に示したものに限らず、要求される抗菌性能や消臭性能のレベル等に応じて適宜設定可能である。
【００２９】
・前記実施形態において、ループパイル１２ａの代わりに、カットパイル１２ｂよりもシート１１からの高さＨが低いカットパイルを設けること。または、カットパイル１２ｂの代わりに、ループパイル１２ａよりも高さＨが高いループパイルを設けること。
【００３０】
・前記実施形態において、光触媒繊維１４を用いる代わりに、パイル１２に対して、例えば光触媒を含有する塗料が付着されるマットに適用すること。
なお、この場合には、前記塗料は、カットパイル１２ｂに対して重点的に付着される。このようにすれば、前記塗料の使用量を低減することができ、マットの製造コストの低減化を図ることができる。
【００３１】
さらに、光触媒を含有する塗料を、ループパイル１２ａの上側端部にも付着させるようにしてもよい。このようにすれば、抗菌性能及び消臭性能をより向上することができる。
【００３２】
また、光触媒を含有する塗料を、例えばディピング等により、マットにおけるループパイル１２ａ及びカットパイル１２ｂの上方端部に対して全体に付着させるようにしてもよい。このようにすれば、抗菌性能及び消臭性能をさらに向上することができる。
【００３３】
本発明において、光触媒繊維１４としては、光触媒と吸着剤とを併用した例えば以下のような繊維が好適に用いられる。ここで、光触媒とは、紫外線などの光線の照射により活性酸素を生成させ、多くの有害物、悪臭物を酸化分解し、光酸化触媒として機能するものをいう。このような光触媒を用いると、単なる吸着作用ではなく、触媒的な分解を利用して消臭できるため、脱臭効果が長期間に亘り持続する。さらに、光触媒は有害物、悪臭物を分解するだけでなく、殺菌作用も有している。
【００３４】
光触媒としては、有機または無機を問わず、種々の光半導体が使用でき、特に酸化物半導体、例えばＴｉＯ２、ＺｎＯ２などが好ましい。また、光半導体の結晶構造は特に制限されず、例えばＴｉＯ２には、アナターゼ型、ブルカイト型、ルチル型、アモルファス型などのいずれであってもよい。好ましいＴｉＯ２には、アナターゼ型酸化チタンが含まれる。
【００３５】
本発明の光触媒繊維１４において、前記光触媒と吸着剤（四価金属のリン酸塩及び二価金属の水酸化物など）とで構成された組成物を用いるのが有利である。このように光触媒と吸着剤とを組み合わせた光触媒繊維を用いることにより、消臭性を顕著に高めることができ、マットに対する光照射の有無に拘わらず高い効率で長時間にわたり臭気成分を有効に除去することができる。なお、前記吸着剤のうち、リン酸塩を形成する四価金属は、四価の金属である限り、周期表における族は特に制限されない。また、前記吸着剤のうち、水酸化物を形成する二価金属は、周期表の族の如何を問わず、二価の金属であればよい。
【００３６】
また、吸着剤の使用量は、光触媒繊維１４の構造などに応じて適宜に選択でき、例えば、繊維全体に対して０．１〜２５重量％、好ましくは０．５〜２０重量％（１〜２０重量％）、さらに好ましくは１〜１５重量部程度である。
【００３７】
また、前記光触媒と吸着剤とを繊維に含有させる手段としては、例えば、繊維表面に光触媒と吸着成分とを担持させる方法、光触媒と吸着成分と繊維形成性樹脂とを含む樹脂組成物を紡糸して、繊維中に含有させる方法などが挙げられる。
【００３８】
さらに、本発明において使用する繊維、すなわち光触媒を含有する繊維と光触媒を含有しない繊維とは、合成繊維、半合成繊維、再生繊維、天然繊維のいずれであってもよい。ここで、合成繊維であるポリアミド繊維としては、ナイロン６、ナイロン６６、ナイロン１１、ナイロン１２、ナイロン８１０、ナイロン８１２などの脂肪族ポリアミド繊維や、脂環族ポリアミド繊維や、芳香族ジアミン、芳香族ジカルボン酸、これらの誘導体を用いて得られる芳香族ポリアミド繊維などが例示される。
【００３９】
【発明の効果】
以上、実施形態で例示したように、この発明においては、抗菌性能および消臭性能が向上し、さらにマットの製造コストを低減することができるという優れた効果を発揮する。
【図面の簡単な説明】
【図１】一実施形態のマットの断面図。
【図２】（ａ）は図１の２ａ―２ａ線、（ｂ）は図１の２ｂ―２ｂ線に沿った断面図。
【図３】（ａ）は図１の３ａ―３ａ線、（ｂ）は図１の３ｂ―３ｂ線に沿った断面図。
【図４】光触媒繊維の断面図。
【図５】変形例にかかるマットのパイルの断面図。
【符号の説明】
１１…基部としてのシート、１１ａ…基部の一部を構成するゴムシート、１１ｂ…基部の一部を構成する不織布、１２…パイル、１２ａ…低パイルとしてのループパイル、１２ｂ…高パイルとしてのカットパイル、１４…光触媒が含有された繊維としての光触媒繊維。
【図１】
2004230066.tif 000003
【図２】
2004230066.tif 000004
【図３】
2004230066.tif 000005
【図４】
2004230066.tif 000006
【図５】
2004230066.tif 000007